(57)【要約】      （修正有）【課題】電池が取り外し可能であり、電池の着脱が容易であり、電池の組立てが安定し、構造設計が合理的であり、セルフ清掃効果が優れており、洗浄水タンク及び汚水タンクの着脱が容易である家庭用縦型床洗浄機を提供する。【解決手段】新型家庭用の縦型床洗浄機は、走行輪５００及び清掃コンポーネント６００が設けられるベース１００と、ベース１００に設けられており、清掃コンポーネント６００が容易に清掃操作を行うように、ベース１００に対して回動可能であり、ベース１００から離れた側に取付溝が設置されている取付部２１０が設けられている床洗浄機本体２００と、取付溝内に取り外し可能に取り付けられており、取付部２１０内の部品と電気接続される充電式電池と、充電式電池と取付溝との間に設けられており、充電式電池と取付溝との間の取り外し可能な組立てを実現するための取付構造とを含む。【選択図】図１
0003232770.tif 000002
【実用新案登録請求の範囲】
【請求項１】
走行輪（５００）及び清掃コンポーネント（６００）が設けられるベース（１００）と、
前記ベース（１００）に設けられており、前記清掃コンポーネント（６００）が容易に清掃操作を行うように、前記ベース（１００）に対して回動可能であり、前記ベース（１００）から離れた側に取付溝（２０１）が設置されている取付部（２１０）が設けられている床洗浄機本体（２００）と、
前記取付溝（２０１）内に取り外し可能に取り付けられており、前記取付部（２１０）内の部品と電気接続される充電式電池（３００）と、
前記充電式電池（３００）と前記取付溝（２０１）との間に設けられており、前記充電式電池（３００）と前記取付溝（２０１）との間の取り外し可能な組立てを実現するための取付構造（４００）と、
を含む、ことを特徴とする、
新型家庭用の縦型床洗浄機。
【請求項２】
前記取付構造（４００）は、
前記取付溝（２０１）の内側壁に設けられる係止溝（４０１）と、
前記充電式電池（３００）の外側壁に取り付けられており、前記係止溝（４０１）から離れるか、前記係止溝（４０１）に接近するように、前記充電式電池（３００）に対して移動可能であり、前記係止溝（４０１）に係止される係止ブロック（４１０）と、
前記係止ブロック（４１０）と前記充電式電池（３００）との間に設けられており、前記係止ブロック（４１０）が前記係止溝（４０１）に係止される場合、前記係止ブロック（４１０）を前記係止溝（４０１）内に押し当てるための第１の弾性具（４２０）と、
を含み、及び／又は、
前記充電式電池（３００）の外側壁に設けられる係止溝（４０１）と、
前記取付溝（２０１）の内側壁に取り付けられており、前記係止溝（４０１）から離れるか、前記係止溝（４０１）に接近するように、前記取付溝（２０１）の内壁に対して移動可能であり、前記係止溝（４０１）に係止される係止ブロック（４１０）と、
前記係止ブロック（４１０）と前記取付溝（２０１）の内壁との間に設けられており、前記係止ブロック（４１０）が前記係止溝（４０１）に係止される場合、前記係止ブロック（４１０）を前記係止溝（４０１）内に押し当てるための第１の弾性具（４２０）と、
を含む、ことを特徴とする、
請求項１に記載の新型家庭用の縦型床洗浄機。
【請求項３】
前記係止ブロック（４１０）は、
係止ブロック本体（４１１）と、
前記係止ブロック本体（４１１）上の前記取付溝（２０１）の溝口に近い側に設けられる押圧部（４１２）と、
前記係止ブロック本体（４１１）上の前記押圧部（４１２）から離れた側に設けられる係止部（４１３）と、
を含む、ことを特徴とする、
請求項２に記載の新型家庭用の縦型床洗浄機。
【請求項４】
前記係止ブロック（４１０）は、前記充電式電池（３００）に設けられ、
前記取付溝（２０１）の溝口において、前記係止ブロック（４１０）と対応して設けられる逃がし溝（２０２）が設けられ、
前記逃がし溝（２０２）は、前記押圧部（４１２）を押圧するように、ユーザが指を挿入するためのものである、ことを特徴とする、
請求項３に記載の新型家庭用の縦型床洗浄機。
【請求項５】
前記取付構造（４００）は、前記充電式電池（３００）と前記取付溝（２０１）の内側壁との間に設けられるガイドコンポーネント、
を更に含み、
前記充電式電池（３００）と前記取付溝（２０１）が組立てられる時、前記ガイドコンポーネントはガイドの役割を果たす、ことを特徴とする、
請求項２に記載の新型家庭用の縦型床洗浄機。
【請求項６】
前記ガイドコンポーネントは、
前記取付溝（２０１）の内側壁に突出して設けられるガイドバー（４３０）と、
前記充電式電池（３００）の外側壁に設けられており、前記ガイドバー（４３０）と組立てるためのガイド溝（３０２）と、
を含み、及び／又は、
前記充電式電池（３００）の外側壁に突出して設けられるガイドバー（４３０）と、
前記取付溝（２０１）の内側壁に設けられており、前記ガイドバー（４３０）と組立てるためのガイド溝（３０２）と、
を含む、ことを特徴とする、
請求項５に記載の新型家庭用の縦型床洗浄機。
【請求項７】
前記取付溝（２０１）の底部には、ターミナル（２１１）が突出して設けられ、
前記充電式電池（３００）の底部には、突き合せ溝（４０２）が設けられ、
前記突き合せ溝（４０２）は、前記充電式電池（３００）と前記床洗浄機主体との間の電気接続を実現するように、前記ターミナル（２１１）と接合するためのものである、ことを特徴とする、
請求項１に記載の新型家庭用の縦型床洗浄機。
【請求項８】
前記床洗浄機本体（２００）には、前記取付溝（２０１）を閉鎖するためのカバープレート（４４０）が回動して組立てられる、ことを特徴とする、
請求項１に記載の新型家庭用の縦型床洗浄機。
【請求項９】
前記床洗浄機本体（２００）には、汚水タンク（７００）及び洗浄水タンク（８００）が更に設けられ、
前記汚水タンク（７００）及び前記洗浄水タンク（８００）は、いずれも前記取付部（２１０）に取り外し可能に組立てられ、
前記取付部（２１０）には、係合溝が設けられ、
前記汚水タンク（７００）及び前記洗浄水タンク（８００）は、いずれも、
第２の収容溝（７０１）、入水口及び出水口が設けられるボックス（７１０）と、
前記第２の収容溝（７０１）内に組立てられて前記係合溝と係止されており、前記係合溝から離れるか、前記係合溝に接近するように、前記ボックス（７１０）に対して動くことができる係合ブロック（７２０）であって、指が押圧する駆動部（７３０）が設けられる係合ブロック（７２０）と、
前記ボックス（７１０）に突出して設けられて前記係合ブロック（７２０）の下方に位置しており、前記駆動部（７３０）を押圧する場合、ユーザが握るボス（７４０）と、
前記ボックス（７１０）と前記係合ブロック（７２０）との間に設けられており、前記係合ブロック（７２０）のリセットのために復元力を提供するための第２の弾性具（７５０）と、
を含む、ことを特徴とする、
請求項１に記載の新型家庭用の縦型床洗浄機。
【請求項１０】
前記ベース（１００）上の、前記走行輪（５００）から離れた側に組立て部（１１０）が設けられ、
前記清掃コンポーネント（６００）は、前記組立て部（１１０）に取り付けられ、
前記清掃コンポーネント（６００）は、
前記ベース（１００）に取り外し可能に組立てられる清掃ローラ（６１０）と、
前記ベース（１００）に設けられており、前記清掃ローラ（６１０）をカバーするように、前記ベース（１００）に対して回動することができるフード（６２０）と、
を含み、
前記組立て部（１１０）には、複数の排水孔（１０１）及び吸気孔が設けられ、
複数の前記排水孔（１０１）は、前記清掃ローラ（６１０）の軸線方向に沿ってアレイ状に設置され、
前記排水孔（１０１）は、前記清掃ローラ（６１０）を清掃するように、前記清掃ローラ（６１０）上に洗浄水を散布するためのものであり、
前記吸気孔は、前記清掃ローラ（６１０）によって振り切られた汚水及び地面の汚れを吸引するためのものである、ことを特徴とする、
請求項１に記載の新型家庭用の縦型床洗浄機。
【考案の詳細な説明】
【技術分野】
【０００１】
本考案は床洗浄機の技術分野に関し、具体的には新型家庭用の縦型床洗浄機に関する。
【背景技術】
【０００２】
環境衛生は生活の質に影響を与える重要な要素であるため、人々の生活の質に対する要求が継続的に高まるにつれて、環境衛生に対する要求もそれに応じてますます高まる。しかし、現代人の仕事上のストレスは急速に高まっており、重い清掃作業から緊急に解放される必要があり、従って、環境衛生を改善するために地面を清掃するための多くの機器が登場した。一般的に使用されるのは、真空クリーナー、自動モップ機、ロボット掃除機、床洗浄機である。床洗浄機は、硬い床を洗浄しながら汚水を吸収し、汚水を現場から取り除くのに適した洗浄機であり、環境保護、省エネ、高効率という利点を有する。
【０００３】
従来技術の床洗浄機のほとんどは、床洗浄機を充電するために充電スタンドのみを使用するので、床洗浄機の充電式電池は、床洗浄機の本体と一体に設置されている。充電スタンドが破損したり、充電式電池が破損したりすると、一体に設置されている充電式電池が取り外しにくくいため、床洗浄機が使用できなくなってしまう。従って、改善の余地がある。
【考案の概要】
【考案が解決しようとする課題】
【０００４】
本考案の目的は、従来技術の欠陥と欠点に対して、電池が取り外し可能であり、電池の着脱が容易であり、電池の組立てが安定し、構造設計が合理的であり、セルフ清掃効果が優れており、洗浄水タンク及び汚水タンクの着脱が容易であるメリットを有する新型家庭用の縦型床洗浄機を提供する。
【課題を解決するための手段】
【０００５】
上記目的を達成するために、本考案は以下の技術案を採用する。新型家庭用の縦型床洗浄機は、走行輪及び清掃コンポーネントが設けられるベースと、前記ベースに設けられており、前記清掃コンポーネントが容易に清掃操作を行うように、前記ベースに対して回動可能であり、前記ベースから離れた側に取付溝が設置されている取付部が設けられている床洗浄機本体と、前記取付溝内に取り外し可能に取り付けられており、前記取付部内の部品と電気接続される充電式電池と、前記充電式電池と前記取付溝との間に設けられており、前記充電式電池と前記取付溝との間の取り外し可能な組立てを実現するための取付構造と含む。
【０００６】
更に、前記取付構造は、前記取付溝の内側壁に設けられる係止溝と、前記充電式電池の外側壁に取り付けられており、前記係止溝から離れるか、前記係止溝に接近するように、前記充電式電池に対して移動可能であり、前記係止溝に係止される係止ブロックと、前記係止ブロックと前記充電式電池との間に設けられており、前記係止ブロックが前記係止溝に係止される場合、前記係止ブロックを前記係止溝内に押し当てるための第１の弾性具とを含み、及び／又は、前記充電式電池の外側壁に設けられる係止溝と、前記取付溝の内側壁に取り付けられており、前記係止溝から離れるか、前記係止溝に接近するように、前記取付溝の内壁に対して移動可能であり、前記係止溝に係止される係止ブロックと、前記係止ブロックと前記取付溝の内壁との間に設けられており、前記係止ブロックが前記係止溝に係止される場合、前記係止ブロックを前記係止溝内に押し当てるための第１の弾性具とを含む。
【０００７】
更に、前記係止ブロックは、係止ブロック本体と、前記係止ブロック本体上の前記取付溝の溝口に近い側に設けられる押圧部と、前記係止ブロック本体上の前記押圧部から離れた側に設けられる係止部とを含む。
【０００８】
更に、前記係止ブロックは前記充電式電池に設けられ、前記取付溝の溝口において、前記係止ブロックと対応して設けられる逃がし溝が設けられ、前記逃がし溝は、前記押圧部を押圧するように、ユーザが指を挿入するためのものである。
【０００９】
更に、前記取付構造は、前記充電式電池と前記取付溝の内側壁との間に設けられるガイドコンポーネントを更に含み、前記充電式電池と前記取付溝が組立てられる時、前記ガイドコンポーネントはガイドの役割を果たす。
【００１０】
更に、前記ガイドコンポーネントは、前記取付溝の内側壁に突出して設けられるガイドバーと、前記充電式電池の外側壁に設けられており、前記ガイドバーと組立てるためのガイド溝とを含み、及び／又は、前記充電式電池の外側壁に突出して設けられるガイドバーと、前記取付溝の内側壁に設けられており、前記ガイドバーと組立てるためのガイド溝とを含む。
【００１１】
更に、前記取付溝の底部にはターミナルが突出して設けられ、前記充電式電池の底部には突き合せ溝が設けられ、前記突き合せ溝は、前記充電式電池と前記床洗浄機主体との間の電気接続を実現するように、前記ターミナルと接合するためのものである。
【００１２】
更に、前記床洗浄機本体には、前記取付溝を閉鎖するためのカバープレートが回動して組立てられる。
【００１３】
更に、前記床洗浄機本体には汚水タンク及び洗浄水タンクが更に設けられ、前記汚水タンク及び前記洗浄水タンクは、いずれも前記取付部に取り外し可能に組立てられ、前記取付部には係合溝が設けられ、前記汚水タンク及び前記洗浄水タンクは、いずれも、第２の収容溝、入水口及び出水口が設けられるボックスと、前記第２の収容溝内に組立てられて前記係合溝と係止されており、前記係合溝から離れるか、前記係合溝に接近するように、前記ボックスに対して動くことができる係合ブロックであって、指が押圧する駆動部が設けられる係合ブロックと、前記ボックスに突出して設けられて前記係合ブロックの下方に位置しており、前記駆動部を押圧する場合、ユーザが握るボスと、前記ボックスと前記係合ブロックとの間に設けられており、前記係合ブロックのリセットのために復元力を提供するための第２の弾性具とを含む。
【００１４】
更に、前記ベース上の、前記走行輪から離れた側に組立て部が設けられ、前記清掃コンポーネントは前記組立て部に取り付けられ、前記清掃コンポーネントは、前記ベースに取り外し可能に組立てられる清掃ローラと、前記ベースに設けられており、前記清掃ローラをカバーするように、前記ベースに対して回動することができるフードとを含み、前記組立て部には複数の排水孔及び吸気孔が設けられ、複数の前記排水孔は前記清掃ローラの軸線方向に沿ってアレイ状に設置され、前記排水孔は、前記清掃ローラを清掃するように、前記清掃ローラ上に洗浄水を散布するためのものであり、前記吸気孔は、前記清掃ローラによって振り切られた汚水及び地面の汚れを吸引するためのものである。
【考案の効果】
【００１５】
上記技術案が採用されると、本考案の有益効果は以下の通りである。
【００１６】
１、充電式電池と床洗浄機本体は取り外し可能に組立てられ、充電式電池を取り付ける時、まず、カバープレートを開けてから、充電式電池に設けられるガイド溝と取付溝の内側壁に設けられるガイドバーを位置合わせさせる。次に、ガイド溝とガイドバーを嵌め合わせるように、取付溝側に向かって充電式電池をゆっくり移動し、且つ、係止ブロックが取付溝の内側壁に設けられる係止溝と組立てられ、突き合せ溝がターミナルと組立てられるまで、ガイドコンポーネントの補助の下で取付溝側に向かって充電式電池を押し続ける。最後に、カバープレートが取付溝の溝口に接触して取付キャビティを閉鎖するように、カバープレートを再び回動させて、充電式電池の取り付けを完了する。充電式電池を取り外す時、まず、カバープレートを開けてから、指を逃がし溝内に挿入して、指を押圧部に接触させる。次に、係止部が係止溝から完全に分離するまで、押圧部が係止部を駆動して動かせるように充電式電池側に向かって押圧部を押し出す。最後に、充電式電池上の突き合せ溝がターミナルから分離するように、充電式電池を取付溝の上側に引っ張って、充電式電池の取り外しを完了する。このように構成された家庭用縦型床洗浄機は、電池が取り外し可能であり、電池の着脱が容易であり、電池の組立てが安定し、構造設計が合理的であるメリットを有する。
【００１７】
２、ベースの一側には組立て部が設けられ、組立て部には複数の排水孔及び１つの吸気口が設けられる。清掃コンポーネントは清掃操作している場合、ユーザは、排水孔を制御してリアルタイムに水を散布することができ、これにより、地面を湿らせて清掃を容易にするだけでなく、散布された洗浄水を複数の排水孔から清掃ローラに均一に散布することができ、清掃後の汚水は清掃ローラの使用中に清掃ローラから振り切られ、振り切られた汚水及び地面の汚れは吸気口の吸引力の作用下で、吸気口から汚水タンク内に入る。これにより、清掃ローラのセルフ清掃機能が実現される。
【００１８】
３、洗浄水タンク及び汚水タンクはそれぞれ床洗浄機主体に取り外し可能に組立てられ、床洗浄機の床洗浄中に洗浄水と汚水との分離を実現することができるとともに、洗浄水タンク及び汚水タンクはいずれも係合ブロックと係合溝との係止により固定組立てが実現され、洗浄水タンク及び汚水タンクの着脱が容易になる。
【図面の簡単な説明】
【００１９】
本考案の実施例又は従来技術の技術案をより明瞭に説明するために、以下、実施例又は従来技術の説明に必要な図面を簡単に説明するが、明らかなように、以下の説明における図面は、本考案の実施例の一部に過ぎず、当業者であれば、創造的な努力を必要とせずに、これらの図面に基づいてほかの図面を想到しうる。
【図１】本実施例の全体構造模式図である。
【図２】本実施例に係る床洗浄機本体部分の構造、汚水タンク、洗浄水タンク及び充電式電池の構造分解図である。
【図３】本実施例に係る床洗浄機本体部分の構造及び取付構造の模式図である。
【図４】本実施例に係る充電式電池及び取付構造の模式図である。
【図５】本実施例に係る充電スタンドの構造模式図である。
【図６】本実施例に係るベース及び清掃コンポーネントの構造模式図である。
【図７】本実施例に係る汚水タンクの分解図である。
【考案を実施するための形態】
【００２０】
以下、図面を参照しながら本考案をさらに詳細に説明する。
【００２１】
この具体的な実施例は、本考案を説明するものに過ぎず、本考案を制限するものではなく、当業者が本明細書を読んだ上、必要に応じて本実施例について進歩性のない変更をすることができ、本考案の実用新案登録請求の範囲内であれば、特許法により保護される。
【００２２】
本実施例は新型家庭用の縦型床洗浄機に関し、図１−７に示すように、ベース１００、床洗浄機本体２００、充電式電池３００及び取付構造４００を含む。
【００２３】
具体的には、ベース１００には走行輪５００及び清掃コンポーネント６００が設けられる。走行輪５００は、床洗浄機の作動中にベース１００の走行を補助する。清掃コンポーネント６００は、走行経路における床を清掃操作するためのものである。床洗浄機本体２００はベース１００に設けられる。床洗浄機本体２００は、清掃コンポーネント６００が容易に清掃操作を行うように、ベース１００に対して回動可能である。床洗浄機本体２００には、ベース１００から離れた側に取付溝２０１が設置されている取付部２１０が設けられる。充電式電池３００は、取付溝２０１内に取り外し可能に取り付けられており、取付部２１０内の部品と電気接続されている。取付構造４００は充電式電池３００と取付溝２０１との間に設けられる。取付構造４００は、充電式電池３００と取付溝２０１との間の取り外し可能な組立てを実現するためのものである。
【００２４】
更に、図１−５に示すように、取付構造４００は、係止溝４０１、係止ブロック４１０及び第１の弾性具４２０を含む。具体的には、係止溝４０１は取付溝２０１の内側壁に設けられる。係止ブロック４１０は充電式電池３００の外側壁に取り付けられている。係止ブロック４１０は、係止溝４０１から離れるか、係止溝４０１に接近するように、充電式電池３００に対して移動することができ、これにより係止溝４０１との係止又は分離を実現することができる。第１の弾性具４２０は係止ブロック４１０と充電式電池３００との間に設けられる。係止ブロック４１０が係止溝４０１に係止される場合、第１の弾性具４２０は、係止ブロック４１０を係止溝４０１内に押し当てるためのものである。及び／又は、係止溝４０１は充電式電池３００の外側壁に設けられる。係止ブロック４１０は取付溝２０１の内側壁に取り付けられる。係止ブロック４１０は、係止溝４０１から離れるか、係止溝４０１に接近するように、取付溝２０１の内壁に対して移動することができ、これにより係止溝４０１との係止又は分離を実現することができる。第１の弾性具４２０は係止ブロック４１０と取付溝２０１の内壁との間に設けられる。係止ブロック４１０が係止溝４０１に係止される場合、第１の弾性具４２０は、係止ブロック４１０を係止溝４０１内に押し当てるためのものである。
【００２５】
好ましくは、図１−５に示すように、係止ブロック４１０は、係止ブロック本体４１１、押圧部４１２及び係止部４１３を含む。押圧部４１２は係止ブロック本体４１１上の取付溝２０１の溝口に近い側に設けられる。係止部４１３は係止ブロック本体４１１上の押圧部４１２から離れた側に設けられる。
【００２６】
ただし、図１−５に示すように、床洗浄機本体２００の上端はハンドル２２０であり、且つハンドル２２０には、床洗浄機の作動を制御するための操作ボタン２３０が設けられる。係止ブロック４１０は２つ対称的に設けられ、対応する係止溝４０１は同様に２つ対称的に設けられる。本実施例では、係合溝は取付溝２０１の内側壁に設けられる。充電式電池３００の外側壁には第１の収容溝３０１が設けられ、係止ブロック４１０は、第１の収容溝３０１内に収容されており、第１の収容溝３０１に対して移動することができる。第１の収容溝３０１の底部に円形孔が設けられ、第１の弾性具４２０は第１のばねであり、第１のばねは円形孔内に組立てられる。押圧部４１２は係止部４１３の上端に位置し、係止部４１３には傾斜面が設けられており、これにより、係止部４１３を容易に係止溝４０１内に係止することができる。
【００２７】
好ましくは、図１−５に示すように、取付溝２０１の溝口において、係止ブロック４１０と対応して設けられる逃がし溝２０２が設けられる。逃がし溝２０２は、押圧部４１２を押圧するように、ユーザが指を挿入するためのものであり、これにより、充電式電池３００の取り外しを容易にする。
【００２８】
更に、図１−５に示すように、取付構造４００は充電式電池３００と取付溝２０１の内側壁との間に設けられるガイドコンポーネントを更に含む。充電式電池３００と取付溝２０１が組立てられる時、ガイドコンポーネントはガイドの役割を果たす。
【００２９】
具体的には、ガイドコンポーネントは、ガイドバー４３０及びガイド溝３０２を含む。ガイドバー４３０は取付溝２０１の内側壁に突出して設けられる。ガイド溝３０２は、充電式電池３００の外側壁に設けられており、ガイドバー４３０と組立てるためのものである。及び／又は、ガイドバー４３０は充電式電池３００の外側壁に突出して設けられる。ガイド溝３０２は、取付溝２０１の内側壁に設けられており、ガイドバー４３０と組立てるためのものである。
【００３０】
本実施例では、ガイドコンポーネントは、係止ブロック４１０の真下に設けられる。ガイドバー４３０は２本設けられ、且ついずれも取付溝２０１の内側壁に位置する。対応するガイド溝３０２は同様に２本設けられ、且ついずれも充電式電池３００の外側壁に位置する。
【００３１】
好ましくは、図１−５に示すように、取付溝２０１の底部にはターミナル２１１が突出して設けられる。充電式電池３００の底部には突き合せ溝４０２が設けられ、突き合せ溝４０２は、充電式電池３００と床洗浄機主体との間の電気接続を実現するように、ターミナル２１１と接合するためのものである。なお、床洗浄機本体２００には、取付溝２０１を閉鎖するためのカバープレート４４０が回動して組立てられる。床洗浄機は、充電スタンド９００を更に含み、当該充電スタンド９００には充電キャビティが設けられ、充電キャビティの内側壁にはガイドバー４３０及びターミナル２１１が設けられる。
【００３２】
更に、図２、７に示すように、床洗浄機本体２００には汚水タンク７００及び洗浄水タンク８００が更に設けられ、且つ汚水タンク７００及び洗浄水タンク８００は、いずれも取付部２１０に取り外し可能に組立てられる。
【００３３】
具体的には、取付部２１０には係合溝（未図示）が設けられ、汚水タンク７００及び洗浄水タンク８００はいずれも、ボックス７１０、係合ブロック７２０、駆動部７３０、ボス７４０及び第２の弾性具７５０を含む。そのうち、ボックス７１０には第２の収容溝７０１、入水口（未図示）及び出水口（未図示）が設けられる。係合ブロック７２０は第２の収容溝７０１内に組立てられて係合溝と係止される。係合ブロック７２０は、係合溝から離れるか、係合溝に接近するように、ボックス７１０に対して動くことができる。係合ブロック７２０には指が押圧する駆動部７３０が設けられる。ボス７４０はボックス７１０に突出して設けられて係合ブロック７２０の下方に位置しており、駆動部７３０を押圧する場合、ユーザが握るものである。明らかなように、駆動部７３０により係合ブロック７２０を駆動して動かせる場合、ユーザは、親指を駆動部７３０に置き、残りの指をボス７４０に置き、虎口の締め付け力により、係合ブロック７２０を駆動して下へ動かせる。第２の弾性具７５０はボックス７１０と係合ブロック７２０との間に設けられており、係合ブロック７２０のリセットのために復元力を提供するためのものである。
【００３４】
ただし、洗浄水タンク８００及び汚水タンク７００はそれぞれ床洗浄機主体に取り外し可能に組立てられ、床洗浄機の床洗浄中に洗浄水と汚水との分離を実現することができるとともに、洗浄水タンク８００及び汚水タンク７００はいずれも係合ブロック７２０と係合溝との係止により固定組立てが実現され、洗浄水タンク８００及び汚水タンク７００の着脱が容易になる。
【００３５】
本実施例では、取付部２１０には取付領域が設けられ、汚水タンク７００及び洗浄水タンク８００は取付領域内に取り付けられ、取り付けられた後、取付部２１０の他の部品と同じサイズであることが保証され、それにより、床洗浄機の外観が効果的に保証される。係合溝は取付部２１０の上端に設けられ、対応する係合ブロック７２０はボックス７１０の上端に設けられる。ボックス７１０の側壁には第２の収容溝７０１が設けられ、係合ブロック７２０は第２の収容溝７０１内に収容される。第２の収容溝７０１は、その下端に位置する内側壁に２つの円孔が設けられ、対応する第２の弾性具７５０は２つ設けられ、いずれも第２のばねである。２つの第２のばねはそれぞれ円孔内に取り付けられ、これにより、係合ブロック７２０の動きのために復元力を提供する。
【００３６】
更に、図２、６に示すように、ベース１００上の、走行輪５００から離れた側に組立て部１１０が設けられ、清掃コンポーネント６００は組立て部１１０に取り付けられる。清掃コンポーネント６００は、清掃ローラ６１０及びフード６２０を含む。具体的には、清掃ローラ６１０は組立て部１１０に取り外し可能に組立てられる。フード６２０は組立て部１１０に設けられ、且つフード６２０は、清掃ローラ６１０をカバーするように、ベース１００に対して回動することができる。清掃ローラ６１０の高速回動中に、フード６２０は、高速動きで振り切られる汚水や汚れを効果的に遮断できる。
【００３７】
好ましくは、組立て部１１０には複数の排水孔１０１及び吸気孔が設けられる。複数の排水孔１０１は清掃ローラ６１０の軸線方向に沿ってアレイ状に設置され、排水孔１０１は清掃ローラ６１０上に洗浄水を散布するためのものであり、洗浄水を散布された清掃ローラ６１０は高速回動の中に、汚水を清掃ローラ６１０から振り切る。このよう構成された排水孔１０１は、清掃ローラ６１０を清掃することができる。吸気孔は、清掃ローラ６１０によって振り切られる汚水及び地面の汚れを吸引するためのものである。
【００３８】
ただし、ベース１００の一側には組立て部１１０が設けられ、組立て部１１０には複数の排水孔１０１及び１つの吸気口１０２が設けられる。清掃コンポーネント６００は清掃操作している場合、ユーザは、排水孔１０１を制御してリアルタイムに水を散布することができ、これにより、地面を湿らせて清掃を容易にするだけでなく、散布された洗浄水を複数の排水孔１０１から清掃ローラ６１０に均一に散布することができ、清掃後の汚水は清掃ローラ６１０の使用中に清掃ローラ６１０から振り切られ、振り切られた汚水及び地面の汚れは吸気口１０２の吸引力の作用下で、吸気口１０２から汚水タンク７００内に入る。これにより、清掃ローラ６１０のセルフ清掃機能が実現される。
【００３９】
本実施例の作動原理はほぼ以下の通りである。充電式電池３００と床洗浄機本体２００は取り外し可能に組立てられ、充電式電池３００を取り付ける時、まず、カバープレート４４０を開けてから、充電式電池３００に設けられるガイド溝３０２と取付溝２０１の内側壁に設けられるガイドバー４３０を位置合わせさせる。次に、ガイド溝３０２とガイドバー４３０を嵌め合わせるように、取付溝２０１側に向かって充電式電池３００をゆっくり移動し、且つ、係止ブロック４１０が取付溝２０１の内側壁に設けられる係止溝４０１と組立てられ、突き合せ溝４０２がターミナル２１１と組立てられるまで、ガイドコンポーネントの補助の下で取付溝２０１側に向かって充電式電池３００を押し続ける。最後に、カバープレート４４０が取付溝２０１の溝口に接触して取付キャビティを閉鎖するように、カバープレート４４０を再び回動させて、充電式電池３００の取り付けを完了する。充電式電池３００を取り外す時、まず、カバープレート４４０を開けてから、指を逃がし溝２０２内に挿入して、指を押圧部４１２に接触させる。次に、係止部４１３が係止溝４０１から完全に分離するまで、押圧部４１２が係止部４１３を駆動して動かせるように充電式電池３００側に向かって押圧部４１２を押し出す。最後に、充電式電池３００上の突き合せ溝４０２がターミナル２１１から分離するように、充電式電池３００を取付溝２０１の上側に引っ張って、充電式電池３００の取り外しを完了する。このように構成された家庭用縦型床洗浄機は、電池が取り外し可能であり、電池の着脱が容易であり、電池の組立てが安定し、構造設計が合理的であるメリットを有する。
【００４０】
以上は本考案の技術案を説明するためのものに過ぎず、それを限定するためのものではない。本考案の技術案に対して当業者によって行われた他の変更や同等の置換は、本考案の精神及び範囲から逸脱しない限り、本考案の実用新案登録請求の範囲内に含まれる。
【符号の説明】
【００４１】
１００、ベース
１０１、排水孔
１０２、吸気口
１１０、組立て部
２００、床洗浄機本体
２０１、取付溝
２０２、逃がし溝
２１０、取付部
２１１、ターミナル
２２０、ハンドル
２３０、操作ボタン
３００、充電式電池
３０１、第１の収容溝
３０２、ガイド溝
４００、取付構造
４０１、係止溝
４０２、突き合せ溝
４１０、係止ブロック
４１１、係止ブロック本体
４１２、押圧部
４１３、係止部
４２０、第１の弾性具
４３０、ガイドバー
４４０、カバープレート
５００、走行輪
６００、清掃コンポーネント
６１０、清掃ローラ
６２０、フード
７００、汚水タンク
７１０、ボックス
７０１、第２の収容溝
７２０、係合ブロック
７３０、駆動部
７４０、ボス
７５０、第２の弾性具
８００、洗浄水タンク
９００、充電スタンド
【図１】
0003232770.tif 000003
【図２】
0003232770.tif 000004
【図３】
0003232770.tif 000005
【図４】
0003232770.tif 000006
【図５】
0003232770.tif 000007
【図６】
0003232770.tif 000008
【図７】
0003232770.tif 000009